(57)【要約】【課題】複数の種類の収容対象を迅速に取り出すことが可能な、小さな作業スペースでも多数種類の収納物の選択、取り出し等の扱いが可能な、収納ケースを提供する。【解決手段】収納ケースは、第１及び第２の収納室とこの第１及び第２の収納室の間に配置された軸部（軸）とを有する本体部（本体）と、前記第１の収納室を開放若しくは閉鎖するための第１の蓋部（蓋）と、前記第２の収納室を開放若しくは閉鎖するための第２の蓋部（蓋）とを有している。第１及び第２の蓋部は軸部（軸）に回動可能に結合している。この構成により、各収納室を独立して開閉することが可能となり、収納室に格納されている収納物を自在に取り出すことが可能となる。【選択図】　　図１
0003098031.tif 000002
【実用新案登録請求の範囲】
【請求項１】
第１及び第２の収納室とこの第１及び第２の収納室の間に配置された軸部とを有する本体部と、前記第１の収納室を開放若しくは閉鎖するための第１の蓋部と、前記第２の収納室を開放若しくは閉鎖するための第２の蓋部とを有し、前記第１及び第２の蓋部は前記軸部に回動可能に結合していることを特徴とする、収納ケース。
【請求項２】
請求項１に記載の収納ケースにおいて、前記本体部は平行に配置された複数の第１及び第２の収納室を有していることを特徴とする収納ケース。
【請求項３】
請求項２に記載の収納ケースにおいて、前記複数の第１の収納室のそれぞれについて独立した第１の蓋部が設けられており、前記複数の第２の収納室のそれぞれについて独立した第２の蓋部が設けられていることを特徴とする収納ケース。
【請求項４】
請求項１から３のいずれかに記載の収納ケースにおいて、少なくとも第１及び第２の蓋部は透明であることを特徴とする収納ケース。
【請求項５】
請求項１から４のいずれかに記載の収納ケースにおいて、前記収納室の高さは、収納室に格納される収納物の幅よりも短かいことを特徴とする、収納ケース。
【請求項６】
請求項５に記載の収納ケースにおいて、前記収納ケースは、前記収納室内に取り出し可能に設けられた高さ調整部材をさらに具備することを特徴とする、収納ケース。
【考案の詳細な説明】
【０００１】
【考案の属する技術分野】
本考案は、収納ケースに関し、より詳しくは、たとえばネイルストーンのような軽量微小な対象を格納するのに適した収納ケースに関する。
【０００２】
【従来の技術】
近年、爪に絵を描いたり、装飾材料などをつけるなどして、自爪、付爪、あるいはスカルプチュアなど（以下、これらを総称して単に「爪」と呼ぶ）に装飾をほどこすことを楽しむいわゆるネイルアートが盛んになってきている。このネイルアートにおいては、装飾材料としてネイルストーンと呼ばれる軽量微少な小片が用いられている。一般的に、ネイルストーンは爪につける人造宝石などで作られた小片であって、数個〜数十個単位でプラスチック製の袋などに納められて、店頭に置かれユーザに販売される。ネイルストーンは、様々な素材、色彩、形状のものが市販されており、ユーザは、自分の好みに合うネイルストーンを数種類〜数十種類購入し、これを種類ごとに収納ケースに納めて補完しておく。実際にユーザが爪を装飾するためネイルストーンを爪に装着する場合は、ネイルストーンを収納した収納ケースを卓上に並べて、どのようなネイルストーンを組み合わせてどのように爪上に配置するかを考え、収納ケースから必要な種類のネイルストーンを必要な数だけ取り出し、ネイルアートの作成を行う。
【０００３】
【考案が解決しようとする課題】
一般にネイルアートの作成を行うため収納ケース内に収納されているネイルストーンを取り出す場合、作成者はネイルストーンを収納ケース内からスティック（木製などの小さな棒状の器具）などを用いてピックアップする。すなわち、ユーザは爪の所望の位置にネイルストーンを着けるため、スティックを一方の手で持ちながら、他方の手で収納ケースの保持や収納ケースの蓋の開閉などを行うことが一般的である。また、ネイルストーンを爪につけるには、マニュキュアなどの接着性を有する液体（以下、接着剤という）をあらかじめ爪表面に塗布しておき、この液体が乾いてしまう前にネイルストーンを所望の位置に載置することにより、ネイルストーンの装着が行われる。このネイルストーンの装着作業においては、一般に接着剤が速乾性であるため、接着剤の塗布後乾いて接着性を失うまでの間に迅速に収納ケース内から必要なストーンを取り出し、爪上の所望の位置に付ける必要があった。
【０００４】
ユーザは、多数種類のネイルストーンを互いに比較検討し、これらの中からユーザ（ネイルアート作成者）のイメージに適合したもの適宜選択してネイルアートを作成する。この場合、ユーザは手持ちのネイルストーンを比較・対比するため、各ネイルストーンを格納した収納ケースを作業スペースに展開することになるが、収納ケース数が多数となる場合は、収納ケースを展開するための大きな作業スペースを確保しなければならず、小さな作業スペースでは複数種類のネイルストーンの扱いに不便があった。
【０００５】
また、従来の収納ケースでは、収納ケース内においてネイルストーンが揺さぶられたりすることにより、ネイルストーンが裏返ることがあり、そのためネイルストーンの装飾面（表面）が見えなくなってしまうという不都合があり、またネイルアート作成者はネイルストーンを容器内からピックアップする際、表面を上にして器具で取り出す必要があり、そのため裏返ったネイルストーンを元に戻してから取り出さねばならないという手間が生じていた。
【０００６】
本考案の目的は、複数の種類の収容対象を迅速に取り出すことが可能であって、かつ小さな作業スペースでも多数種類の収納物の選択、取り出し等の扱いが可能な収納ケースを提供することを目的とする。
【０００７】
本考案の別の目的は、ネイルストーンなど収納物が裏返ってしまうことを防止可能な、収納ケースを提供することを目的とする。
【０００８】
【課題を解決するための手段】
本考案は、上記課題を解決するための手段として、以下のような特徴を有している。
【０００９】
本発明の第１の態様は、第１及び第２の収納室とこの第１及び第２の収納室の間に配置された軸部（軸）とを有する本体部（本体）と、前記第１の収納室を開放若しくは閉鎖するための第１の蓋部（蓋）と、前記第２の収納室を開放若しくは閉鎖するための第２の蓋部（蓋）とを有している収納ケースとして提案される。第１及び第２の蓋部は軸部（軸）に回動可能に結合している。
【００１０】
この構成により、各収納室を独立して開閉することが可能となり、収納室に格納されている収納物を自在に取り出すことが可能となる。また、第１又は第２の蓋部を開いた状態において、これら蓋部が本体部から水平方向に突出することはなく、狭い作業スペースにおいても蓋の開閉が妨げられるおそれが少なく、また複数の収納ケースを隣接して配置した場合も、蓋の開閉が妨げられない。
【００１１】
本発明の態様にかかる収納ケースにおいて、前記本体部は平行に配置された複数の第１及び第２の収納室を有するようにしてもよい。この構成により、１つの収納ケースで複数種類の収納物を分別して格納することが可能となる。
【００１２】
また、本実施の態様にかかる収納ケースにおいて、前記複数の第１の収納室のそれぞれについて独立した第１の蓋部が設け、前記複数の第２の収納室のそれぞれについてもそれぞれ独立した第２の蓋部を設けるように構成してもよい。このような構成によれば、ある収納室の蓋部の開閉が他の収納室の蓋の開閉を妨げることがないので、ユーザは収納ケースのいずれの収納室であっても随時開閉することができる。
【００１３】
また、本実施の態様にかかる収納ケースにおいて、少なくとも第１及び第２の蓋部を透明にしてもよい。もちろん、蓋部だけでなく本体部も透明にしてもかまわない。かかる構成によれば、ユーザは蓋部をあけて収納室の内部を直接目視せずとも、収納ケースの外からどのような収納物が格納されているか確認することができるので、蓋を開けることなく素早く目的の収納物を選ぶことが可能となる。
【００１４】
またさらに、本実施の態様にかかる収納ケースにおいて、前記収納室の高さは、収納室に格納される収納物の幅よりも短かく成るように構成してもよい。かかる構成によれば、収納室内の収納物が振動などにより裏返しになることが無く、常に収納物の一定の面を上向きに保つことが可能となる。
【００１５】
またさらに、本実施の態様にかかる収納ケースにおいて、前記収納ケースは、前記収納室内に取り出し可能に設けられた高さ調整部材をさらに具備するようにしてもよい。かかる構成によれば、収納室の高さを高さ調整部材の厚さを変えることにより変更可能となり、収納物の幅が異なるものであっても、振動などにより裏返しになることなく格納することが可能となる。
【００１６】
【考案の実施の形態】
以下に、図面を参照しながら本考案の実施の形態について説明する。なお、本実施の形態では、収納ケースが収納する対象（収納物という）は、ネイルストーンであるものとして説明するが、本考案に係る収納ケースの収納物がネイルストーンに限定される趣旨ではない。
図１は、本考案の実施の形態に係る収納ケースの斜視図である。
【００１７】
図に示す収納ケース１は、本体１０に三対の第１及び第２の収納室（計６つの収納室）を有している。本図では、収納室２０Ａに対応する蓋３０Ａが開いた状態となっているが、その他の蓋３０Ｂ、３０Ｃ、３０Ｄ、３０Ｅ、３０Ｆは閉じた状態になっている。蓋３０Ｂ、３０Ｃ、３０Ｄ、３０Ｅ、３０Ｆの下には、それぞれ収納室２０Ｂ、２０Ｃ、２０Ｄ、２０Ｅ、２０Ｆ（図略）が設けられている。また、各対をなす収納室２０Ａと２０Ｂ、２０Ｃと２０Ｄ、２０Ｅと２０Ｆの間には軸４０Ｘ、４０Ｙ、４０Ｚ（図略）が設けられており、蓋３０Ａ及び３０Ｂは軸４０Ｘと回動可能に結合しており、同様に蓋３０Ｃ、３０ＤＢは軸４０Ｙと回動可能に結合しており、蓋３０Ｅ及び３０Ｆは軸４０Ｚと回動可能に結合している。
【００１８】
収納室２０Ａには、ネイルストーン（収納物）が複数格納されている。ユーザはスティックなどの器具を用いてネイルストーン５０を取り出すようになっている。他の収納室も同様に収納物を収納することができる。
【００１９】
次に、本実施の形態にかかる収納ケース１を構成する本体１０、および蓋３０Ａ〜３０Ｆについて説明する。
図２は、本体１０の例を示す斜視図である。本体１０には、収納室２０Ａ、２０Ｂ、２０Ｃ、２０Ｄ、２０Ｅ、２０Ｆが形成されているとともに、収納室２０Ａと２０Ｂ、２０Ｃと２０Ｄ、２０Ｅと２０Ｆの間に軸４０Ｘ、４０Ｙ、４０Ｚが設けられている。軸４０Ｘ、４０Ｙ、４０Ｚの半径方向廻りは空隙となっており、蓋３０Ａ、３０Ｂ、３０Ｃ、３０Ｄ、３０Ｅ、３０Ｆが回動できるようなスペースとして機能する。
【００２０】
軸４０Ｘ、４０Ｙ、４０Ｚは軸支持部６０Ａ、６０Ｂ、６０Ｃ、６０Ｄに結合若しくは一体成形されており、また軸支持部６０Ａ、６０Ｂ、６０Ｃ、６０Ｄは本体１０と一体成形されてもよいし、あるいは本体１０にはめ込み若しくは接着によって固定されていればよい。
【００２１】
図３は、蓋の構成例を示す斜視図である。この図では、蓋３０Ａ、３０Ｂ、３０Ｃ、３０Ｄ、３０Ｅ、３０Ｆの代表として蓋３０Ａ、３０Ｂを示す。蓋３０Ｃ、３０Ｅは蓋３０Ａと同様であり、蓋３０Ｄ、３０Ｆは蓋３０Ｂと同様なので説明を省略する。
【００２２】
図３において、蓋３０Ａ（第１の蓋）は、軸４０Ｘに枢着するための腕部７０を有しており、腕部７０には軸を回動可能に保持可能な溝部８０が形成されている。腕部７０と反対側には、ユーザが蓋開閉のために手がかりとする開閉突起９０と、本体１０に蓋を閉めた状態で係止するための係止部１００とを有している。係止部１００は本体１０の係止突起１８０Ａと係合するための溝１１０が形成されている。
【００２３】
一方、蓋３０Ｂ（第２の蓋）は、軸４０Ｘに枢着するための腕部１２０、１３０を有しており、腕部１２０、１３０には軸４０Ｘを回動可能に保持可能な溝部１４０、１５０がそれぞれ形成されている。腕部１２０、１３０は第１の蓋３０Ａの腕部７０を間に納めることができる距離離間して設けられている。これにより、第１の蓋及び第２の蓋は互いに妨げることなく共通の軸４０Ｘを使用することができる。また、腕部１２０、１３０と反対側には、ユーザが蓋開閉のために手がかりとする開閉突起１６０と、本体１０に蓋を閉めた状態で係止するための係止部（図略）とを有している。
【００２４】
なお、蓋と本体との係合状態を示すために図４を示す。図４は、図１のＡ−Ａ断面線に沿った断面図である。
【００２５】
なお、本体１０及び蓋３０Ａ〜３０Ｆは、たとえば熱可塑性樹脂（ＡＢＳ、ポリエチレン、スチロール、ナイロン、アクリル、ポリカーボなど）や熱硬化性樹脂（フェノール、ユリア、エポキシなど）等の樹脂を射出成形して作成することが考えられるが、もちろんその他の材料・方法により本体１０、蓋３０Ａ〜３０Ｆを形成してもかまわない。また、軸４０Ｘ〜４０Ｚは本体１０と一体成形とせず、一本の金属棒などで構成するようにしてもよい。
【００２６】
本体１０及び蓋部３０Ａ〜３０Ｆの双方若しくは蓋３０Ａ〜３０Ｆのみを透明なものとすることが好ましい。このように構成することにより、ユーザが蓋３０Ａ〜３０Ｆを開けることなく収納されているネイルストーン（収納物）５０を確認することが可能となり、より迅速な収納物の選択を可能とすることができる。
【００２７】
また、収納室２０Ａ〜２０Ｆの高さは、収納物の「幅」より短くなるように形成されることが好ましい。ここで、収納室２０Ａ〜２０Ｆの「高さ」とは、蓋３０Ａ〜３０Ｆが閉じられている状態における収納室２０Ａ〜２０Ｆの底面と蓋３０Ａ〜３０Ｆの内面（収納スペースに接する面）との距離をいうものとする。また、ネイルストーン（収納物）５０の「幅」とは、収納物の外周上の任意の２点間の距離のうち最も短い距離をいうものとする。
【００２８】
このように、収納室２０Ａ〜２０Ｆの高さを設定することにより、ネイルストーンのように裏表がある収納物５０が収納室２０Ａ〜２０Ｆ内で振動等により裏返ってしまうことを防ぐことが可能となる。
【００２９】
［変形例］
本実施の形態は、以下のような変形を加えてもよい。
［高さ調整部材］
本実施の形態の変形例として、高さ調整部材を収納室内に配置した収納ケースという変形例が考えられる。収納室２０Ａ〜２０Ｆ内に、収納室２０Ａ〜２０Ｆの高さを調整するための高さ調整部材を配置する。高さ調整部材は、収納スペースの底に敷かれる板状の部材であって、高さ調整部材上にネイルストーンを置くようにする。この高さ調整部材によって収納スペース５の高さを調整し、収納するネイルストーンの種類が変わりその「幅」が変わっても、ネイルストーンが裏返ることを防止することができるようになる。なお、「収納スペースの高さ」は、高さ調整部材が収納室２０Ａ〜２０Ｆ内に配置されている状態において、蓋３０Ａ〜３０Ｆが閉じられている状態における高さ調整部材の表面（収納物と接する面）と蓋３０Ａ〜３０Ｆの内側面（収納室内の空間に接する面）との距離をいうものとする。
【００３０】
高さ調整部材は、収納室２０Ａ〜２０Ｆと同様の形状を有し、所定の厚さを有する板状の部材であることが好ましい。たとえば、本来の収納室２０Ａ〜２０Ｆの高さ（高さ調整部材を用いないときの「高さ」）が２．５ｍｍであり、この収納室２０Ａ〜２０Ｆに１．５ｍｍの「幅」を有するネイルストーン５０を収納する場合には、厚さ１．０ｍｍより厚い高さ調整部材を配置することにより、このネイルストーンを裏返らないようにすることができる。
【００３１】
【考案の効果】
本考案によれば、複数の種類の収容対象を迅速に取り出すことが可能な、小さな作業スペースでも多数種類の収納物の選択、取り出し等の扱いが可能な、収納ケースを提供することができる。
本考案の別の態様によれば、上記効果に加えて、ネイルストーンなど収納物が裏返ってしまうことを防止可能な、収納ケースを提供することができる。
【図面の簡単な説明】
【図１】収納ケースの斜視図である。
【図２】本体の例を示す斜視図である。
【図３】蓋の構成例を示す斜視図である。
【図４】図１のＡ−Ａ断面線に沿った断面図である。
【符号の説明】
１　…　収納ケース
１０　…　本体
２０Ａ〜２０Ｆ　…　収納室
３０Ａ〜３０Ｆ　…　蓋
４０Ｘ〜４０Ｚ　…　軸
【図１】
0003098031.tif 000003
【図２】
0003098031.tif 000004
【図３】
0003098031.tif 000005
【図４】
0003098031.tif 000006